(57)【特許請求の範囲】
【請求項１】
ハンガーレールに沿って移動可能に支持した間仕切り部材の端部に移動框を回動可能に支持し、前記移動框を前記ハンガーレールに沿って移動させることにより本体部を引き出し及び畳み込み可能とし、前記移動框を引き出したとき該移動框をその対向面に保持する吸着手段を備えた間仕切り装置において、
操作ハンドルをコ字状に形成して前記移動框に対し前記操作ハンドルを水平方向に回動可能に支持し、前記操作ハンドルの上下両端部にそれぞれ歯車を設けるとともに、各歯車に対向する位置には同歯車に噛み合うラックを形成した押圧部材をそれぞれ設けて、前記操作ハンドルの回動に基づいて各押圧部材を出没可能とし、前記操作ハンドルの回動により前記各押圧部材を前記対向面に当接させることにより、前記移動框を前記対向面に対し回動させて、前記吸着手段の吸着を解除することを特徴とする間仕切り装置の開閉装置。
【請求項２】
前記押圧部材を前記移動框の中心方向に向かって延設したことを特徴とする請求項１記載の間仕切り装置の開閉装置。
【請求項３】
前記対向面には、前記押圧部材が当接する壁面框を両面テープで接着したことを特徴とする請求項１又は２に記載の間仕切り装置の開閉装置。
【請求項４】
前記壁面框には、前記移動框のマグネットと吸着しあう吸着板を取着したことを特徴とする請求項３記載の間仕切り装置の開閉装置。
【請求項５】
前記吸着板は、前記壁面框の透孔から露出部を露出させ、該露出部の両側部を前記壁面框の裏面及び該壁面框の取付面に両面テープで接着したことを特徴とする請求項４記載の間仕切り装置の開閉装置。
【発明の詳細な説明】
【技術分野】
【０００１】
本発明は、アコーデオンカーテンや折戸等の間仕切り装置の開閉装置に関する。
【背景技術】
【０００２】
アコーデオンカーテンは、蛇腹状に伸縮可能としたカーテン生地を壁面間で引き出し、あるいは一方の壁面側に畳み込んで、室内空間を適宜に区画するものである。このようなアコーデオンカーテンでは、操作框が壁面に当接するまでカーテン生地を引き出したとき、カーテン生地に作用する復元力により、操作框が後退して、壁面との間に隙間が生じる。【０００３】
そこで、移動框と壁面にマグネットの吸着力を利用した固定装置が設けられ、移動框を壁面に当接するまで移動させれば、固定装置により操作框の後退を阻止して、カーテン生地を全閉状態に保持するようになっている。
【発明の開示】
【０００４】
このような固定装置を備えたアコーデオンカーテンでは、マグネットの吸着力を強くすると、操作框を壁面から引き離す際に大きな操作力が必要となる。一方、マグネットの吸着力を弱くすると、操作框を確実に保持することができない。そこで、十分な吸着力を確保しながら、操作框を壁面から容易に引き離し可能とすることが必要である。
【０００５】
この発明の目的は、伸縮可能とした間仕切り部材を備え、吸着手段の吸着力に基づいて間仕切り部材を全閉状態に保持する間仕切り装置において、開放操作時の操作力を軽減し得る開閉装置を提供することにある。
【０００６】
本発明の第１の態様において、ハンガーレールに沿って移動可能に支持した間仕切り部材の端部に移動框を回動可能に支持し、前記移動框を前記ハンガーレールに沿って移動させることにより本体部を引き出し及び畳み込み可能とし、前記移動框を引き出したとき該移動框をその対向面に保持する吸着手段を備えた間仕切り装置において、操作ハンドルをコ字状に形成して前記移動框に対し前記操作ハンドルを水平方向に回動可能に支持し、前記操作ハンドルの上下両端部にそれぞれ歯車を設けるとともに、各歯車に対向する位置には同歯車に噛み合うラックを形成した押圧部材をそれぞれ設けて、前記操作ハンドルの回動に基づいて各押圧部材を出没可能とし、前記操作ハンドルの回動により前記押圧部材を前記対向面に当接させることにより、前記移動框を前記対向面に対し回動させて、前記吸着手段の吸着を解除する間仕切り装置の開閉装置が提供される。
【図面の簡単な説明】
【０００７】
【図１】アコーデオンカーテンを示す平面図。
【図２】第一の実施の形態の操作ハンドルを示す正面図。
【図３】第一の実施の形態の操作ハンドルを示す側面図。
【図４】第一の実施の形態の操作ハンドルを示す平面図。
【図５】操作ハンドルに内蔵される捩りコイルスプリングを示す断面図。
【図６】捩りコイルスプリングの動作を示す断面図。
【図７】操作ハンドルの動作を示す平面図。
【図８】第二の実施の形態を示す平面図。
【図９】第三の実施の形態の操作ハンドルを示す正面図。
【図１０】第三の実施の形態の操作ハンドルを示す平面図。
【図１１】第三の実施の形態の操作ハンドルの動作を示す平面図。
【図１２】第四の実施の形態を示す平面図。
【図１３】第四の実施の形態の壁面框及び吸着板を示す分解斜視図。
【図１４】第四の実施の形態の動作を示す平面図。
【発明を実施するための最良の形態】
【０００８】
以下、この発明を具体化した間仕切り装置の一実施の形態を図面に従って説明する。図１に示すアコーデオンカーテンは、パンタグラフ状に伸縮する骨組み１の前後両側に表面材２が取着されて本体部（間仕切り部材）が構成され、その骨組み１の一端の支軸１ａに移動框３が相対回動可能に取着され、他端の支軸１ｂに固定框４が相対回動可能に取着されている。【０００９】
前記固定框４は壁面５に固定され、前記移動框３の前後両面における上下方向中央部には操作ハンドル６が取着されている。【００１０】
そして、前記骨組み１が複数のランナーを介してハンガーレールに移動可能に吊下支持され、操作ハンドル６を操作することにより骨組み１及び表面材２をハンガーレールに沿って伸縮可能となっている。【００１１】
図２〜図４に示すように、前記操作ハンドル６は丸棒状のハンドル軸７の下端近傍が回動軸８を支点として移動框３に対し回動可能に支持され、移動框３の移動方向に沿って図２に示す状態から図６に示す状態までの所定角度の範囲内で回動可能となっている。【００１２】
前記ハンドル軸７の下端には、移動框３に対向する柱面（対向面）９に向かって突出する押圧部材１０が形成され、その押圧部材１０はゴム状の柔軟材で形成されている。前記押圧部材１０はハンドル軸７の下端部から移動框３の近傍までの範囲で突出するように構成されている。【００１３】
図３及び図５に示すように、前記回動軸８内には付勢手段として捩りコイルスプリング１２が配設され、その捩りコイルスプリング１２の一端１３ａは回動軸８に固定され、他端１３ｂは前記移動框３に固定されている。そして、図５に示す状態から図６に示すようにハンドル軸７を回動させると、捩りコイルスプリング１２が蓄勢され、その付勢力によりハンドル軸７を手放した後は図５に示す状態に復帰するようになっている。【００１４】
前記移動框３には、柱面９との対向面にクッション材１１が嵌着され、柱面９との衝突による異音の発生を防止している。【００１５】
また、図４に示すように、前記操作ハンドル６の上方及び下方の少なくとも２箇所において前記クッション材１１が切除され、その切除部分にはマグネット（吸着手段）１４がそれぞれ嵌着されている。そして、マグネット１４の端面すなわち柱面９に対向する面にはヨーク板１５が露出されている。【００１６】
前記柱面９において、前記各マグネット１４に対向する位置には磁性材にてなる吸着板１６が取着されている。そして、移動框３が柱面９近傍まで引き出されて、ヨーク板１５が吸着板１６に当接すると、マグネット１４の吸着力によりヨーク板１５が吸着板１６に吸着保持されるようになっている。【００１７】
次に、上記のように構成されたアコーデオンカーテンの動作を説明する。【００１８】
さて、アコーデオンカーテンを閉じる場合には、操作ハンドル６を操作して、移動框３を柱面９側に移動させる。すると、本体部が移動框３に追随して引き伸ばされながら移動する。このとき、操作ハンドル６のハンドル軸７は図２に示すように垂直に保持されている。【００１９】
移動框３を柱面９に当接するまで移動させると、図４に示すように、ヨーク板１５が吸着板１６に吸着され、移動框３が柱面９に密接する状態に保持される。従って、この状態では表面材２及び骨組みの復元力に抗して本体部が全閉状態に保持される。【００２０】
全閉状態にある本体部を開放する場合には、図６に示すように、操作ハンドル６を本体部の開放方向に向かって回動させる。すると、押圧部材１０が柱面９に当接するため、図７に示すように移動框３が支軸１ｂを回動支点として回動される。【００２１】
このような動作により、まず操作されたハンドル軸７に近い一方のヨーク板１５が吸着板１６から引き離され、次いで他方のヨーク板１５が吸着板１６から引き離される。【００２２】
移動框３が吸着板１６から引き離された後は、操作ハンドル６の操作により移動框３をハンガーレールに沿って移動させれば、本体部が固定框４側に畳み込まれる。【００２３】
上記のように構成されたアコーデオンカーテンでは、次に示す作用効果を得ることができる。
（１）操作ハンドル６を操作することにより移動框３を移動させて、アコーデオンカーテンの本体部をハンガーレールに沿って引き出し、あるいは畳み込むことができる。
（２）移動框３に取着されたマグネット１４を柱面９の吸着板１６に吸着させることができるので、本体部を全閉状態まで引き出したとき、移動框３を柱面９に密接する状態に保持して、本体部を全閉状態に保持することができる。
（３）移動框３が柱面９に保持されている状態から本体部を開放するとき、操作ハンドル６の回動操作により、移動框３を柱面９に対し回動させて、マグネット１４のヨーク板１５を吸着板１６から順次引き離すことができる。従って、移動框３を柱面９から引き離すための操作力を軽減することができる。
（４）操作ハンドル６の回動操作により、てこの作用を利用して移動框３を柱面９に対し回動させることができる。従って、移動框３を柱面９から引き離すための操作力を軽減することができる。
（５）てこの作用を利用するので、操作ハンドル６を大型化することなく、移動框３を柱面９から引き離すための所要の操作力を確保することができる。従って、操作ハンドル６の大型化による美観の低下あるいはコストの上昇を防止することができる。
（６）操作ハンドル６の押圧部材１０を移動框３の近傍まで延設したので、柱面９の幅が狭い場合にも、押圧部材１０を柱面９に確実に当接させることができる。
（７）操作ハンドル６に内蔵された捩りコイルスプリング１２により、操作ハンドル６の不操作時にはハンドル軸７を垂直方向に自動的に復帰させることができる。
（８）１つの磁極を備えたマグネット１４を移動框３のみに配設すればよく、その磁極の配置にはまったく制限がない。従って、組み立て作業を容易に行うことができる。
（第二の実施の形態）
図８は、第二の実施の形態を示す。この実施の形態は、両開きのアコーデオンカーテンの移動框３に対し、前記第一の実施の形態の操作ハンドル６をそれぞれ取着したものである。この場合には、対向する操作ハンドル６の押圧部材１０を押圧して、互いのヨーク板１５を引き離すことができる。【００２４】
従って、両開きのアコーデオンカーテンにおいて、第一の実施の形態と同様な作用効果を得ることができる。【００２５】
なお、対向する移動框３には、互いに吸着可能とした磁極を備えたマグネットを取着する必要がある。
（第三の実施の形態）
図９〜図１１は、第三の実施の形態を示す。この実施の形態は、回動軸心を垂直方向とした操作ハンドルで歯車を回転させ、その歯車に噛み合うラックにより、押圧部材を柱面に向かって突出させるものである。【００２６】
図９に示すように、操作ハンドル１７はコ字状に形成され、その上下両端部に形成された支軸１８が移動框３に設けられた軸受部１９に回転可能に支持されている。また、軸受部１９には操作ハンドル１７の回動角度を所定範囲に規制する規制面２０が形成され、図１０に示す状態から図１１に示す状態までの範囲で回動可能となっている。【００２７】
前記各支軸１８には歯車２１が一体に形成され、その歯車２１に対向する位置において、前記軸受部１９には押圧部材２２が移動框３の移動方向に沿ってスライド可能に支持されている。【００２８】
前記押圧部材２２には歯車２１に噛み合うラック２３が一体に形成されている。そして、操作ハンドル１７の回動に基づいて歯車２１が回転されると、各押圧部材２２が移動框３から柱面９に向かって連動して出没するようになっている。【００２９】
前記押圧部材２２の先端部は、移動框３の中心方向に向かって直角に屈曲され、柱面９の幅が狭い場合にも、押圧部材２２の先端部が柱面９に当接するようになっている。【００３０】
前記各支軸１８には捩りコイルスプリング２４が巻装され、その捩りコイルスプリング２４の一端は軸受部１９に設けられた係止部２５に支持され、他端は操作ハンドル６に設けられた係止部２６に支持されている。そして、図１０に示す状態から図１１に示すように操作ハンドル１７を回動させると、捩りコイルスプリング２４が蓄勢されて、操作ハンドル１７を図１０に示す状態に復帰させるための付勢力が生成されるようになっている。【００３１】
上記のような操作ハンドル１７および押圧部材２２以外の構成は、前記第一の実施の形態と同様である。【００３２】
さて、上記のようなアコーデオンカーテンでは、柱面９に保持されている移動框３を開放方向に移動させるとき、図１１に示すように操作ハンドル１７を回動させると、押圧部材２２が突出されて移動框３が支軸１ａを支点として回動され、ヨーク板１５が吸着板１６から順次引き離される。従って、前記第一の実施の形態で得られた作用効果（１）（２）（３）（８）に加えて、次に示す作用効果を得ることができる。
（１）操作ハンドル１７の回転操作により、ラック・ピニオン機構を介して押圧部材２２を突出させて移動框３を柱面９に対し回動させることができる。従って、移動框３を柱面９から引き離すための操作力を軽減することができる。
（２）ラック・ピニオン機構により、操作ハンドル１７を大型化することなく、移動框３を柱面９から引き離すための所要の操作力を確保することができる。従って、操作ハンドル１７の大型化による美観の低下あるいはコストの上昇を防止することができる。
（３）押圧部材２２の先端部を移動框３の近傍まで延設したので、柱面９の幅が狭い場合にも、押圧部材２２を柱面９に確実に当接させることができる。
（４）操作ハンドル１７に内蔵された捩りコイルスプリング２４により、操作ハンドル１７の不操作時には操作ハンドル１７を図１０に示す原位置に自動的に復帰させることができる。
（第四の実施の形態）
図１２〜図１４は、第四の実施の形態を示す。この実施の形態は、前記第三の実施の形態の移動框が当接する壁面框を壁面あるいは柱面に設け、その壁面框に吸着板を取着したものである。第三の実施の形態と同一構成部分は、同一符号を付して説明する。【００３３】
図１２に示すように、移動框３に対向する柱面（壁面でもよい）９には壁面框２７が取着される。前記壁面框２７はアルミ押出し形材で形成され、図１３に示すように、その裏面の両側近傍には２条の突条２８が壁面框２７の長手方向に形成されている。そして、突条２８が両面テープ２９で前記柱面９に接着される。【００３４】
前記壁面框２７の両側は、前記突条２８を柱面９に接着したとき、同柱面９との間に隙間が生じないように、柱面９側に屈曲されている。【００３５】
前記移動框３に取着されたマグネット１４及びヨーク板１５に対向する位置において、前記壁面框２７には吸着板３０が露出される。すなわち、壁面框２７には吸着板３０を露出させるための透孔３１が形成されている。前記吸着板３０は、磁性材にてなる金属板で形成され、その長手方向中央部が段差状に屈曲されて、前記透孔３１に嵌合可能となる露出部３２が形成されている。【００３６】
前記吸着板３０の両端部は、その表裏両面に両面テープ３３が貼着され、壁面框２７の背面及び柱面９に接着される。従って、壁面框２７が柱面９に接着された状態では、吸着板３０の両端部は壁面框２７と柱面９との間に挟着された状態で、壁面框２７及び柱面９に接着されている。【００３７】
上記のような壁面框２７を備えたアコーデオンカーテンでは、操作ハンドル１７を操作して移動框３を壁面框２７に当接するまで移動させると、図１２に示すように、ヨーク板１５が吸着板３０に吸着される。【００３８】
また、ヨーク板１５と吸着板３０との吸着を解除するには、図１４に示すように、操作ハンドル１７を回動させると、押圧部材２２が壁面框２７を押圧して、移動框３が回動され、ヨーク板１５が吸着板３０から引き離される。【００３９】
上記のように構成された壁面框２７を備えたアコーデオンカーテンでは、次に示す作用効果を得ることができる。
（１）ビスを使用することなく壁面框２７及び吸着板３０を柱面９に取着することができる。従って、壁面框２７を取り外しても、柱面９あるいは壁面にビス孔が残らず、柱面９あるいは壁面の美観を低下させることはない。
（２）ビスを螺入できない材質の柱面９あるいは壁面にも壁面框２７を取り付けることができる。
（３）押圧部材２２は、柱面９に直交する方向に壁面框２７を押圧するので、柱面９に接着された壁面框２７がはがれることはない。【００４０】
上記実施の形態は、以下の態様で実施してもよい。【００４１】
・上記各実施の形態の操作ハンドルは、折戸に使用してもよい。【００４２】
・第四の実施の形態の壁面框２７を合成樹脂で成型してもよい。【００４３】
・第四の実施の形態の壁面框２７を磁性材で形成し、吸着板３０及び透孔３１を省略する構成としてもよい。
【産業上の利用可能性】
【００４４】
この発明は伸縮可能とした間仕切り部材を備え、吸着手段の吸着力に基づいて間仕切り部材を全閉状態に保持する間仕切り装置において、開放操作時の操作力を軽減し得る開閉装置を提供することができる。
【図１】
0005264169.tif 000002
【図２】
0005264169.tif 000003
【図３】
0005264169.tif 000004
【図４】
0005264169.tif 000005
【図５】
0005264169.tif 000006
【図６】
0005264169.tif 000007
【図７】
0005264169.tif 000008
【図８】
0005264169.tif 000009
【図９】
0005264169.tif 000010
【図１０】
0005264169.tif 000011
【図１１】
0005264169.tif 000012
【図１２】
0005264169.tif 000013
【図１３】
0005264169.tif 000014
【図１４】
0005264169.tif 000015